(57)【要約】      （修正有）【課題】販売促進を向上させるため、商品から突出する表示部を有するラベルにて包装箱の角部の開封部の封印を兼ね行うラベル付き容器を提供する。【解決手段】下面全域に粘着層が形成されたベースシートと、該ベースシート上に表面にＰＯＰ表示などの印刷表示面４０を有する表示シート４を接着層を介して積層し、且つ、該ベースシートの折り目仮想線を境に一方に糊殺し処理の施された非接着領域と糊殺し処理が施されない接着領域に区分し、該ベースシートをその折り目仮想線が包装箱１０の側面壁１０ａと蓋部１０ｂの角部１０ｄに一致させて開封部１０ｃを跨ぐように貼着することにより、表示シート４が非接着領域でベースシートと分離し、印刷表示面４０が包装箱１０より自立して突出するようにした。【選択図】図１
0003178682.tif 000002
【実用新案登録請求の範囲】
【請求項１】
下面全域に粘着層２が形成されたベースシート３と、該ベースシート３上に、表面にＰＯＰ表示などの印刷表示面を有する表示シート４が接着層５を介して積層され、且つ、ベースシート３の折り目仮想線６を境に一方に糊殺し処理の施された非接着領域７と、糊殺し処理が施されない接着領域に二分し、ベースシート３の折り目仮想線６を包装箱１０の側面壁１０ａと蓋部１０ｂの角部１０ｄに合わせて開封部１０ｃを跨ぐように貼着することにより、前記表示シート４が前記非接着領域７でベースシート３と分離し、印刷表示面４０が包装箱より自立して突出するように形成したことを特徴とする封印ＰＯＰラベル付き包装箱。
【請求項２】
前記非接着領域７は、積層された表示シート４とベースシート３の折り目仮想線６を境にしたラベルの長さ方向の一方に形成される請求項１に記載の封印ＰＯＰラベル付き包装箱。
【考案の詳細な説明】
【技術分野】
【０００１】
本考案は、広告宣伝目的のため包装箱の上部から一部が突出するように包装箱の角部に貼着され、同時に包装箱の開封部の封印を兼ね行うことのできるラベルを貼り付けた容器に関する。
【背景技術】
【０００２】
一般に、店頭での商品の陳列販売形態で、ＰＯＰ（Ｐｏｉｎｔ  Ｏｆ  Ｐｕｒｃｈａｓｅ）ラベルと称される商品の販売促進を企図したラベルが使用されている。ＰＯＰラベルは商品の本体や容器に貼着されているラベルとは別に、消費者に商品の特徴や効能を視覚的に訴える狙いで開発されたラベルで、特許文献１の例のように包装容器に一部が突出するように別途貼着され、広告宣伝効果を発揮することが期待されている。
【０００３】
そして、包装容器が医薬品や化粧品等を収容した化粧箱にあっては、開封部の封印のため包装箱の側壁面と蓋部にかけてＬ字状に封印ラベルを貼り付け、不正な開封を防止し、或いは開封された場合に開封痕跡を残す工夫がされた改ざん防止用ラベルが使用されている（特許文献２）。
【先行技術文献】
【特許文献】
【０００４】
【特許文献１】特開２００８−１９１５２２号公報
【特許文献２】特開平１０−２６０６３２号公報
【考案の概要】
【考案が解決しようとする課題】
【０００５】
しかしながら、化粧箱などの包装用容器の側壁面と蓋部との開封部に封緘機能を持たせた封印ラベルを貼着することは幾多となく提案されているが、ＰＯＰラベル機能をも備えたラベルを容器の側壁面と蓋部の開封部に一部を貼着し、且つ容器の本体外に残るラベル片が突出するようにした包装箱は考案者の知るところ存在しない。
【０００６】
本考案は、このような課題を考慮してなされたものであり、商品の店頭での販売に宣伝広告効果と封印機能を併せもつＰＯＰラベル付きの容器を提供することを目的とする。
【課題を解決するための手段】
【０００７】
上記目的を達成するため、本考案は、下面全域に粘着層が形成されて商品に貼り付けられるベースシートと、該ベースシート上に、表面にＰＯＰ表示などの印刷表示面を有する表示シートが接着層を介して積層され、且つ、該ベースシートの折り目仮想線を境に一方に糊殺し処理の施された非接着領域と、糊殺し処理が施されない接着領域に区分し、ベースシートの折り目仮想線を包装箱の側面壁と蓋部の角部に合わせて該角部を跨ぐように貼着することにより、前記表示シートが非接着領域でベースシートと分離し、印刷表示面が包装箱より自立して突出するように形成した。
【０００８】
また、前記非接着領域を、積層された表示シートとベースシートの折り目仮想線を境にしたラベルの長さ方向の一方に形成した。
【考案の効果】
【０００９】
本考案によれば、包装箱の上面に突出するＰＯＰラベルとしての販売促進効果と相俟って、封印機能を併せもつため主に化粧品、薬、サプリメントや日用品等を収容した化粧箱などの包装箱に使用されると、不正な開封を防止し且つ消費者の購買意欲を一層促進させる効果が期待できる。
【図面の簡単な説明】
【００１０】
【図１】本考案の実施例のＰＯＰラベルを包装箱に貼着した斜視図である。
【図２】同、ＰＯＰラベルの拡大した断面図である。
【図３】同、包装箱の側壁面と蓋部との開封部となる角部に貼着されたＰＯＰラベルの断面図である。
【図４】同、異なる形態の包装箱にＰＯＰラベルを貼着した実施例の斜視図である。
【考案を実施するための形態】
【００１１】
以下、本考案を図示する実施形態により具体的に説明する。
図は本考案の一実施形態の構成を示しており、ＰＯＰラベル１は図１のように化粧箱などの容器１０の側壁面１０ａの上部と天面の蓋部１０ｂに蓋部の開封部１０ｃを跨いで角部１０ｄにＬ字状に貼着され、ＰＯＰ表示機能をもつ表示シート４の上半分４ａが包装箱１０の天面より上方に自立して突出している。表示シート４の下半分４ｂは包装箱１０に対する貼着部を構成する。
【００１２】
ＰＯＰラベル１はその構成を図２の断面図に示すように、下面全域に粘着層２が形成されて包装箱１０に貼り付けられるベースシート３と、該ベースシート３上に、販売促進のためのＰＯＰ表示などの印刷表示面４０を有する表示シート４が接着層５を介して積層されている。表示シート４とベースシート３との間の接着層５には包装箱１０の角部１０ｄにＬ字状に貼着するときの折り目仮想線６を境にしたラベルの長さ方向（図でＸの矢印で示す。）の領域にニス層が形成され、所謂、糊殺し処理により非接着領域７が形成されている。即ち、ベースシート３と表示シート４は該非接着領域７を介在して積層されている。
【００１３】
実施例では、ベースシート３は２０μｍ厚のポリプロピレンフィルムを用い、表示シート４は５０μｍ厚のポリエチレンテレフタレートフィルムを用い、両フィルムを接着積層してＰＯＰラベル基材としている。また、包装箱１０に貼着されるベースシート３の粘着層２は、例えば、ゴム系、アクリル系、ウレタン系の公知の感圧粘着剤により形成される。ベースシート３と表示シート４を接着する接着層は公知の接着剤を用い、感圧粘着剤であってもよい。８はＰＯＰラベル１を担持する離型紙である。本考案のＰＯＰラベルの形状は限定されず、矩形状でも円形状でもよい。
【００１４】
ＰＯＰラベル１が包装箱１０に貼着された状態は図１の斜視図により明らかなように、包装箱１０の側壁面１０ａと天面の蓋部１０ｂにＬ字状に角部１０ｄを跨ぐように貼着される。即ち、ＰＯＰラベル１は、蓋部１０ｂの開封部１０ｃを跨ぐように角部１０ｄに対応する折り目仮想線６で２分されるベースシート３の第１の領域３１が包装箱１０の側壁面１０ａに粘着層２により貼付けられ、ベースシート３の第２の領域３２が包装箱１０の蓋部１０ｂに粘着層２により接着される（図３参照）。
【００１５】
ベースシート３は第１の領域３１が包装箱１０の側壁面１０ａに貼着され、残る第２の領域３２が蓋部１０ｂに貼着されると、表示シート４との間でニス層が形成された非接着領域７にてベースシート３と分離し、表示シート４の上半分４ａが包装箱１０より自立して突出する。
【００１６】
前記ベースシート３の第１の領域３１と第２の領域３２は表示シート４との間の接着層５に塗布されるニス層の塗り幅により決定される。実施例では第１の領域３１と第２の領域３２は略半分ずつの面積としているが、両者の領域の比率は特に限定されず、ＰＯＰラベル１の大きさ、横幅、表示シート４の性質や剛性などを考慮し任意に設定することができる。
【００１７】
包装箱１０は図４に示すような形態のものにも本ＰＯＰラベル１は適用される。即ち、開封部１０ｃを跨ぐように側壁面１０ａと側面に位置する蓋部１０ｂにＬ字状に角部１０ｄを跨ぐように貼着される。
【００１８】
本考案はこのように構成され、ＰＯＰラベルは包装箱の角部に、側壁面と蓋部とに跨って貼着されて蓋部の開封部の封印シールを兼ねると共に、表示シートの略上半分が包装箱の上面に自立突出するか、或いは表示シートの略半分が包装箱の側面に自立突出することで、１枚のラベルにて封印機能とＰＯＰ表示機能を発揮でき、商品の不正な開封を防ぐと共に販売促進効果の向上が期待できる。
【００１９】
尚、ベースシート３を剥離したときに剥離痕跡が残るようにしたセキュリティーラベルを使用することにより封印機能は一層に増し、封緘の安全性を向上させると同時にＰＯＰ効果を併せもつラベルを提供することもできる。
【００２０】
また、本考案のＰＯＰラベルは離型紙に担持された状態で通常のラベルと同様にオートラベラーにセットすることも可能で、連続して搬送される包装箱に対し貼着の自動化も可能で、省力化に寄与することができる。
【符号の説明】
【００２１】
１    ＰＯＰラベル
２    粘着層
３    ベースシート
３１  第１の領域
３２  第２の領域
４    表示シート
４ａ  上半分
４ｂ  下半分
４０  印刷表示面
５    接着層
６    折り目仮想線
７    非接着領域
８    離型紙
１０  包装箱
１０ａ  包装箱の側壁面
１０ｂ  包装箱の蓋部
１０ｃ  包装箱の開封部
１０ｄ  包装箱の角部
【図１】
0003178682.tif 000003
【図２】
0003178682.tif 000004
【図３】
0003178682.tif 000005
【図４】
0003178682.tif 000006